(57)【要約】【課題】認証に関する技術向上による利益とロック画面の利便性との両方を享受することが可能な仕組みを提供する。【解決手段】認証情報及び操作情報を取得する取得部と、前記取得部により取得された前記認証情報又は前記操作情報に基づいて表示を制御する表示制御部と、を備え、前記表示制御部は、初期画面の表示時に所定の前記操作情報が取得された場合にロック画面を表示させ、前記認証情報に基づく認証処理が成功した場合にロックを解除した復帰画面を表示させ、前記認証処理に応じて行われる前記ロック画面から前記復帰画面への遷移を前記操作情報に基づいて制御する、情報処理装置。【選択図】図１
2018073287.tif 000002
【特許請求の範囲】
【請求項１】
認証情報及び操作情報を取得する取得部と、
前記取得部により取得された前記認証情報又は前記操作情報に基づいて表示を制御する表示制御部と、
を備え、
前記表示制御部は、
初期画面の表示時に所定の前記操作情報が取得された場合にロック画面を表示させ、
前記認証情報に基づく認証処理が成功した場合にロックを解除した復帰画面を表示させ、
前記認証処理に応じて行われる前記ロック画面から前記復帰画面への遷移を前記操作情報に基づいて制御する、情報処理装置。
【請求項２】
前記表示制御部は、前記認証処理の実行期間及び前記実行期間と連続する他の期間において継続して前記ロック画面から前記復帰画面への遷移中であることを示す遷移画面を表示させ、前記遷移画面を表示時に所定の前記操作情報が得られた場合に、前記ロック画面を表示させる、請求項１に記載の情報処理装置。
【請求項３】
前記表示制御部は、前記遷移画面の表示期間を制御する、請求項２に記載の情報処理装置。
【請求項４】
前記表示制御部は、ユーザの操作履歴に応じて前記遷移画面の表示期間を制御する、請求項３に記載の情報処理装置。
【請求項５】
前記表示制御部は、前記遷移画面を５００ミリ秒以上表示させる、請求項２に記載の情報処理装置。
【請求項６】
前記表示制御部は、前記操作情報に基づいて前記認証処理の開始可否を切り替える、請求項１に記載の情報処理装置。
【請求項７】
前記表示制御部は、前記ロック画面を表示する表示面へのタッチ位置、タッチする指の向き、タッチ面積、又はタッチ回数に基づいて前記認証処理の開始可否を切り替える、請求項６に記載の情報処理装置。
【請求項８】
前記ロック画面を表示する表示面をタッチする指から得られた生体情報に基づいて前記認証処理が実行される、請求項７に記載の情報処理装置。
【請求項９】
前記表示制御部は、前記復帰画面の表示時に所定の前記操作情報が得られた場合に、前記ロック画面又は前記初期画面を表示させる、請求項１に記載の情報処理装置。
【請求項１０】
認証情報及び操作情報を取得する取得部と、
前記取得部により取得された前記認証情報又は前記操作情報に基づいて表示を制御する表示制御部と、
を備え、
前記表示制御部は、
初期画面の表示時に所定の前記操作情報が取得された場合にロック画面を表示させ、
認証が成功した旨の前記認証情報が取得された場合にロックを解除した復帰画面を表示させ、
前記復帰画面において前記ロック画面に基づく画像を表示させる、情報処理装置。
【請求項１１】
前記ロック画面に基づく画像は、前記ロック画面において表示される情報を含む、請求項１０に記載の情報処理装置。
【請求項１２】
前記ロック画面に基づく画像は、前記ロック画面を縮小した画像である、請求項１１に記載の情報処理装置。
【請求項１３】
前記表示制御部は、前記ロック画面を縮小した画像への所定の操作を示す前記操作情報が得られた場合に前記ロック画面を表示させる、請求項１２に記載の情報処理装置。
【請求項１４】
前記表示制御部は、前記ロック画面に基づく画像を復帰画面に重畳表示させる、請求項１１に記載の情報処理装置。
【請求項１５】
前記表示制御部は、前記ロック画面に基づく画像を透過させて表示させる、請求項１４に記載の情報処理装置。
【請求項１６】
前記表示制御部は、前記ロック画面に基づく画像への操作を示す操作情報に応じて表示を制御する、請求項１１に記載の情報処理装置。
【請求項１７】
前記表示制御部は、前記復帰画面の内容に応じて前記ロック画面に基づく画像の表示を制御する、請求項１１に記載の情報処理装置。
【請求項１８】
前記表示制御部は、前記ロック画面に基づく画像に応じて前記復帰画面のレイアウトを制御する、請求項１１に記載の情報処理装置。
【請求項１９】
認証情報及び操作情報を取得することと、
取得された前記認証情報又は前記操作情報に基づいてプロセッサにより表示を制御することと、
を含み、
前記表示を制御することは、
初期画面の表示時に所定の前記操作情報が取得された場合にロック画面を表示させることと、
前記認証情報に基づく認証処理が成功した場合にロックを解除した復帰画面を表示させることと、
前記認証処理に応じて行われる前記ロック画面から前記復帰画面への遷移を前記操作情報に基づいて制御することと、を含む情報処理方法。
【請求項２０】
認証情報及び操作情報を取得することと、
取得された前記認証情報又は前記操作情報に基づいてプロセッサにより表示を制御することと、
を含み、
前記表示を制御することは、
初期画面の表示時に所定の前記操作情報が取得された場合にロック画面を表示させることと、
認証が成功した旨の前記認証情報が取得された場合にロックを解除した復帰画面を表示させることと、
前記復帰画面において前記ロック画面に基づく画像を表示させることと、を含む情報処理方法。
【発明の詳細な説明】
【技術分野】
【０００１】
本開示は、情報処理装置及び情報処理方法に関する。
【背景技術】
【０００２】
近年、スマートフォン及び時計型活動量計を始め、多様な端末装置が流通している。端末装置の高機能化、及び端末装置を介したＷｅｂサービス等の拡充等の事情により、端末装置にはより多くの個人情報が格納される傾向にあり、端末装置のセキュリティ機能が重視されている。そのため、近年では生体認証を始めとする認証技術の開発が盛んに行われている。認証技術は、指紋認証を中心に成熟期に差し掛かっており、現在は、認証性能（認証率、低消費電力又は認証速度）の改良、及びより良い使い勝手の追求を行う段階となっている。
【０００３】
ここで、スマートフォンにおいては、生体認証が普及する以前のセキュリティを守る機能として、ロック画面が存在していた。ロック画面は、ＰＩＮ（Personal  Identification  Number）又はキーストロークのパターン等の認証を行う画面であり、他人に操作をさせないことを主目的とする画面である。ただし、ロック画面の特性上、画面点灯直後に第一に表示されるＵＩ（User  Interface）としての機能追加がされている。そのような機能としては、例えばホーム画面に配置されている時計より見やすい時計の表示、メッセージ受信等の通知情報又はミュージックコントローラ等のウイジットの配置等がある。このように、ロック画面の役割は、セキュリティを担保する以外にも、簡易に重要な情報の確認及び操作を行う場として再定義されている。
【０００４】
なお、画面の表示ＯＮ／ＯＦＦ（点灯／非点灯）の切り替えに関する技術として、下記特許文献１に、タブレット型のＰＣ（Personal  Computer）においてスリープ中にメールの受信及びデータの更新等を実行しつつ、稼働状態への遷移を防止する技術が開示されている。
【先行技術文献】
【特許文献】
【０００５】
【特許文献１】特開２０１５−４５９０２号公報
【発明の概要】
【発明が解決しようとする課題】
【０００６】
近年、認証に関する処理速度の向上及び使い勝手の向上等の技術向上が進んでおり、例えばユーザが画面を点灯させてロック画面が表示されてから認証処理が完了してホーム画面が表示されるまでの間隔が過度に短縮化される傾向がある。そのため、ユーザは、画面を点灯後、ホーム画面へ遷移させずにロック画面を表示させることが困難になり始めており、簡易に重要な情報の確認及び操作を行うといったロック画面の利便性を享受することが困難になっている。一方で、認証速度を遅らせることは適切ではない。
【０００７】
そこで、本開示では、認証に関する技術向上による利益とロック画面の利便性との両方を享受することが可能な仕組みを提案する。
【課題を解決するための手段】
【０００８】
本開示によれば、認証情報及び操作情報を取得する取得部と、前記取得部により取得された前記認証情報又は前記操作情報に基づいて表示を制御する表示制御部と、を備え、前記表示制御部は、初期画面の表示時に所定の前記操作情報が取得された場合にロック画面を表示させ、前記認証情報に基づく認証処理が成功した場合にロックを解除した復帰画面を表示させ、前記認証処理に応じて行われる前記ロック画面から前記復帰画面への遷移を前記操作情報に基づいて制御する、情報処理装置が提供される。
【０００９】
また、本開示によれば、認証情報及び操作情報を取得する取得部と、前記取得部により取得された前記認証情報又は前記操作情報に基づいて表示を制御する表示制御部と、を備え、前記表示制御部は、初期画面の表示時に所定の前記操作情報が取得された場合にロック画面を表示させ、認証が成功した旨の前記認証情報が取得された場合にロックを解除した復帰画面を表示させ、前記復帰画面において前記ロック画面に基づく画像を表示させる、情報処理装置が提供される。
【００１０】
また、本開示によれば、認証情報及び操作情報を取得することと、取得された前記認証情報又は前記操作情報に基づいてプロセッサにより表示を制御することと、を含み、前記表示を制御することは、初期画面の表示時に所定の前記操作情報が取得された場合にロック画面を表示させることと、前記認証情報に基づく認証処理が成功した場合にロックを解除した復帰画面を表示させることと、前記認証処理に応じて行われる前記ロック画面から前記復帰画面への遷移を前記操作情報に基づいて制御することと、を含む情報処理方法が提供される。
【００１１】
また、本開示によれば、認証情報及び操作情報を取得することと、取得された前記認証情報又は前記操作情報に基づいてプロセッサにより表示を制御することと、を含み、前記表示を制御することは、初期画面の表示時に所定の前記操作情報が取得された場合にロック画面を表示させることと、認証が成功した旨の前記認証情報が取得された場合にロックを解除した復帰画面を表示させることと、前記復帰画面において前記ロック画面に基づく画像を表示させることと、を含む情報処理方法が提供される。
【発明の効果】
【００１２】
以上説明したように本開示によれば、認証に関する技術向上による利益とロック画面の利便性との両方を享受することが可能な仕組みが提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の一実施形態に係る端末装置の外観構成の一例を説明するための図である。
【図２】同実施形態に係る端末装置の内部構成の一例を説明するためのブロック図である。
【図３】同実施形態に係る端末装置において動作するプログラムの一例を示す図である。
【図４】同実施形態に係る端末装置のＵＩの遷移の一例を説明するための図である。
【図５】同実施形態に係るアンビエント画面の一例を説明するための図である。
【図６】第１の実施形態に係る端末装置のＵＩの遷移の一例を説明するための図である。
【図７】同実施形態に係る端末装置において実行される表示制御処理の流れの一例を示すシーケンス図である。
【図８】同実施形態に係る端末装置において実行される表示制御処理の流れの一例を示すシーケンス図である。
【図９】同実施形態に係る端末装置の外観構成の一例を示す図である。
【図１０】同実施形態に係る端末装置のＵＩの遷移の一例を説明するための図である。
【図１１】同実施形態に係る端末装置において実行される表示制御処理の流れの一例を示すシーケンス図である。
【図１２】同実施形態に係る端末装置において実行される表示制御処理の流れの一例を示すシーケンス図である。
【図１３】第２の実施形態に係るＵＩの具体例を説明するための図である。
【図１４】同実施形態に係るＵＩの具体例を説明するための図である。
【図１５】同実施形態に係るＵＩの具体例を説明するための図である。
【図１６】同実施形態に係るＵＩの具体例を説明するための図である。
【図１７】同実施形態に係る端末装置において実行される表示制御処理の流れの一例を示すシーケンス図である。
【図１８】同実施形態に係るＵＩの具体例を説明するための図である。
【図１９】同実施形態に係る端末装置において実行される表示制御処理の流れの一例を示すシーケンス図である。
【図２０】第３の実施形態に係る端末装置の外観構成の一例を示す図である。
【図２１】同実施形態に係る端末装置において実行される表示制御処理の流れの一例を示すシーケンス図である。
【図２２】本開示の一実施形態に係る情報処理装置のハードウェア構成の一例を示すブロック図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．構成例
２．基本的なＵＩ例
３．第１の実施形態
３．１．キャンセル操作
３．２．ユーザ操作に応じた遷移制御
４．第２の実施形態
４．１．ＵＩ要素の引き継ぎ
４．２．ロック画面の縮小画像
５．第３の実施形態
６．ハードウェア構成例
７．まとめ
【００１６】
＜＜１．構成例＞＞
まず、図１〜図３を参照して、本開示の一実施形態に係る情報処理装置の構成例を説明する。
【００１７】
図１は、本実施形態に係る情報処理装置の外観構成の一例を説明するための図である。図１に示すように、情報処理装置１は、タッチパネル１０、電源キー２０、スピーカ３０及びマイク４０を含む端末装置（具体的には、スマートフォン）として実現され得る。
【００１８】
タッチパネル１０は、画像（即ち、ＵＩ）を表示しつつＵＩへのタッチ操作等のユーザ操作を受け付ける。
【００１９】
電源キー２０は、電源のＯＮ／ＯＦＦ、又はタッチパネル１０による表示のＯＮ／ＯＦＦを切り替える操作を受け付ける。電源キー２０は、指紋センサとしての機能を有していてもよい。例えば、電源キー２０は、静電容量方式のセンサとして実現され、電源キー２０に指がタッチしたときの静電容量に基づいて、タップ、ダブルタップ、又は押下等を検出すると共に、指紋を検出することができる。
【００２０】
スピーカ３０は、音を出力する機能を有し、マイク４０は音を入力する機能を有する。典型的には、ユーザが端末装置１を用いて通話する際に、スピーカ３０は通話相手の話声を再生し、マイク４０はユーザの話声を収音する。
【００２１】
以上、端末装置１の外観構成を説明した。続いて、図２を参照して、端末装置１の内部構成を説明する。
【００２２】
図２は、本実施形態に係る端末装置１の内部構成の一例を説明するためのブロック図である。図２に示すように、端末装置１は、表示部１１０、操作部１２０、認証部１３０、音声入出力部１４０、記憶部１５０、及び処理部１６０を含む。
【００２３】
表示部１１０は、画像（静止画像／動画像）を表示する機能を有する。表示部１１０は、処理部１６０による制御に基づいて画像を表示する。表示部１１０は、例えばＬＣＤ（Liquid  Crystal  Display）またはＯＬＥＤ（Organic  Light−Emitting  Diode）などにより実現される。
【００２４】
操作部１２０は、ユーザ操作を受け付ける機能を有する。操作部１２０は、受け付けたユーザ操作を示す情報である操作情報を、処理部１６０へ出力する。操作部１２０は、ボタン、キー、ジョグダイヤル、又はタッチパッド等により実現され得る。図１に示したように、操作部１２０は、タッチパネル１０として表示部１１０と一体的に形成されてもよい。また、図１に示したように、操作部１２０は、電源キー２０として形成されてもよく、電源キー２０のタップ、ダブルタップ又は押下等の操作を検出し得る。
【００２５】
認証部１３０は、認証情報に基づいて認証処理を行う機能を有する。例えば、認証情報は、指紋、掌形、静脈、虹彩、網膜、顔、音声、又は耳形等の生体情報を含み得る。また、認証情報は、筆跡、又はキーストローク等のユーザの行動情報を含み得る。また、認証情報は、ユーザが携帯する活動量計又はＩｏＴ（Internet  of  Things）デバイス等のデバイスの機器情報を含み得る。認証部１３０は、認証情報の検出をトリガとして認証処理を開始する。そして、認証部１３０は、認証結果を示す情報を処理部１６０へ出力する。なお、認証部１３０が認証情報を処理部１６０へ出力して、処理部１６０が認証処理を行ってもよい。図１に示した例では、認証部１３０は、電源キー２０を含み、電源キー２０により検出された指紋情報に基づいて認証処理を行う。
【００２６】
音声入出力部１４０は、音声の入力を受け付ける機能、及び音声を出力する機能を有する。音声入出力部１４０は、入力された音声情報を処理部１６０へ出力し、処理部１６０による制御に基づいて音声を出力する。図１に示したように、音声入出力部１４０は、スピーカ３０及びマイク４０として形成されてもよい。
【００２７】
記憶部１５０は、端末装置１の動作のための情報を一時的に又は恒久的に記憶する機能を有する。
【００２８】
処理部１６０は、演算処理装置及び制御装置として機能し、各種プログラムに従って端末装置１内の動作全般を制御する機能を有する。図２に示すように、処理部１６０は、取得部１６１及び表示制御部１６３を含む。取得部１６１は、認証情報及び操作情報を取得する機能を有する。表示制御部１６３は、取得部１６１により取得された認証情報又は操作情報の少なくともいずれかに基づいて表示を制御する機能を有する。なお、以下では、表示制御部１６３が表示部１１０に画像を表示させることを、端末装置１が画像を表示する、とも称する。具体的な表示例については、後に詳しく説明する。なお、処理部１６０は、これらの構成要素以外の他の構成要素をさらに含み得る。即ち、処理部１６０は、これらの構成要素による動作以外の動作も行い得る。
【００２９】
以上、端末装置１の内部構成を説明した。続いて、図３を参照して、端末装置１において動作するプログラムについて説明する。
【００３０】
図３は、本実施形態に係る端末装置１において動作するプログラムの一例を示す図である。図３に示すように、端末装置１において、ハードウェアとのインタフェースを提供するドライバ、より高機能なインタフェースを提供するミドルウェア、及び各種ＵＩを提供するアプリケーション、が動作する。
【００３１】
ドライバは、認証ドライバ１７１、ＬＣＤドライバ１７２、タッチドライバ１７３、及び電源キードライバ１７４を含む。認証ドライバ１７１は、認証処理のためのハードウェア（例えば、生体情報を検出する指紋センサ、行動情報を検出するタッチセンサ、機器情報を検出する無線通信装置等）とのインタフェースを提供する。なお、生体情報に関する認証ドライバは、生体認証センサドライバとも称され得る。ＬＣＤドライバ１７２は、タッチパネル１０の表示機能を実現するハードウェア（例えば、ＬＣＤ）とのインタフェースを提供する。タッチドライバ１７３は、タッチパネル１０の操作受付機能を実現するハードウェアとのインタフェースを提供する。電源キードライバ１７４は、電源キー２０への操作を検出する機能を実現するハードウェアとのインタフェースを提供する。
【００３２】
ミドルウェアは、認証モジュール１８１を含む。例えば、認証モジュール１８１は、認証ドライバ１７１から得た情報に基づいて認証処理を行う。
【００３３】
アプリケーションは、ロック画面アプリケーション１９１、及びホーム画面アプリケーション１９２を含む。ロック画面アプリケーション１９１は、ロック画面及び遷移画面を表示するアプリケーションである。ホーム画面アプリケーション１９２は、ホーム画面を表示するためのアプリケーションである。
【００３４】
＜＜２．基本的なＵＩ例＞＞
以下、図４及び図５を参照して、基本的なＵＩ例を説明する。
【００３５】
図４は、本実施形態に係る端末装置１のＵＩの遷移の一例を説明するための図である。図４に示すように、端末装置１は、ユーザ操作に応じて、初期画面２００、ロック画面２１０、遷移画面２２０、及びホーム画面２３０の順にＵＩを遷移させ得る。
【００３６】
ロック画面２１０は、認証のためのユーザ操作等を受け付けつつ、それ以外のユーザ操作をロックする（即ち、受け付けない）画面である。また、ロック画面２１０では、簡易に重要な情報の確認及び操作を行うことも可能である。例えば、図４に示した例では、ヘッダ領域２１１において電波の状態及びバッテリ残量等が表示され、背景領域２１２において時計を含む背景画像が表示され、背景領域２１２に重畳してウィジェット２１３が表示され、さらに操作キー２１４が表示されている。ウィジェット２１３は、端末装置１で動作中のアプリケーションのインタフェースを提供するＵＩ要素であり、図４に示した例ではミュージックコントローラ２１３Ａ及び通知情報２１３Ｂを含む。ユーザは、認証を行わずとも、ミュージックコントローラ２１３Ａにより音楽に関する操作を行ったり、アプリケーションから通知される通知情報２１３Ｂの内容を確認したりすることができる。ユーザは、操作キー２１４により、例えば写真撮影等の所定の操作を行うことが可能である。
【００３７】
初期画面２００は、ロック画面２１０の遷移元の画面である。端末装置１は、初期画面２００の表示時に所定の操作情報が取得された場合にロック画面２１０を表示する。例えば、初期画面２００において、電源キー２０がタップ又は押下された場合にロック画面２１０に遷移する。図４に示すように、初期画面２００は、画面の表示ＯＦＦ時又はスリープ時の画面（例えば、黒一色の画面）であってもよい。他にも、初期画面２００は、アンビエント画面であってもよい。図５は、本実施形態に係るアンビエント画面の一例を説明するための図である。図５に示すように、アンビエント画面２４０は、ロック画面２１０と同様のＵＩ要素（即ち、ヘッダ領域２１１、背景領域２１２、ウィジェット２１３及び操作キー２１４）を表示する画面である。ただし、アンビエント画面２４０は、背景画像として黒一色の画像等の単純な画像が表示されたり、情報が単色で表示されたりするので、ロック画面２１０と比較して消費電力が低い。
【００３８】
ホーム画面２３０は、ロック画面２１０において認証が成功した場合に表示される、復帰画面の一例である。端末装置１は、認証情報に基づく認証処理が成功した場合にロックを解除した、即ち各種ユーザ操作が可能な、復帰画面を表示する。図４に示すように、復帰画面は、アプリケーションを起動させるためのアイコンが並べられるホーム画面２３０であってもよい。他にも、復帰画面は、表示をＯＦＦする前に表示されていたアプリケーション画面であってもよい。
【００３９】
遷移画面２２０は、ロック画面２１０からホーム画面２３０への遷移中であることを示す画面であり、ロック画面２１０からホーム画面２３０への遷移中に表示される画面である。典型的には、遷移画面２２０は、認証処理が開始されたタイミングで表示が開始される。遷移画面２２０では、典型的にはアニメーション（即ち、動画像）が表示される。このアニメーションは、認証処理の進行度合いに応じて進行してもよい。
【００４０】
以上、基本的なＵＩ例を説明した。以下では、各実施形態について順に説明する。
【００４１】
＜＜３．第１の実施形態＞＞
本実施形態は、端末装置１が、認証処理に応じて行われるロック画面２１０からホーム画面２３０への遷移を、操作情報に基づいて制御する形態である。例えば、端末装置１は、ロック画面２１０からホーム画面２３０への遷移をキャンセルするキャンセル操作を受け付けてもよい。また、端末装置１は、ロック画面２１０からホーム画面２３０への遷移を開始するか否かを、ユーザ操作に応じて制御してもよい。これらの特徴について、以下に詳しく説明する。
【００４２】
＜３．１．キャンセル操作＞
端末装置１は、遷移画面２２０の表示中にキャンセル操作を受け付ける。まず、図６を参照して、かかる特徴に関するＵＩの遷移について説明する。
【００４３】
図６は、本実施形態に係る端末装置１のＵＩの遷移の一例を説明するための図である。図６に示すように、端末装置１は、ロック画面２１０を表示後、遷移画面２２０を表示し、ホーム画面２３０を表示する。ただし、端末装置１は、遷移画面２２０を表示中にキャンセル操作が行われた場合、ホーム画面２３０への遷移をキャンセルして、ロック画面２１０を再度表示する。
【００４４】
とりわけ、端末装置１は、キャンセル操作を受け付ける期間を、ユーザがキャンセル操作を無理なく行うことが可能な程度まで確保する。詳しくは、端末装置１は、認証処理の実行期間及び当該実行期間と連続する他の期間において継続して遷移画面２２０を表示し、遷移画面２２０を表示時に所定の操作情報が得られた場合にロック画面２１０を表示する。例えば、端末装置１は、認証処理の開始をトリガとして遷移画面２２０の表示を開始する場合、認証処理と並行して及び認証処理の終了後も継続して遷移画面２２０を表示する。この場合、端末装置１は、認証処理が完了していても遷移画面２２０の表示を継続することとなる。他にも、端末装置１は、認証処理の開始前から遷移画面２２０を表示してもよい。そして、端末装置１は、遷移画面２２０を表示時にキャンセル操作が行われた場合にロック画面２１０を再度表示する。このように、端末装置１は、認証処理の実行期間だけでなく、認証処理を行っていない期間も遷移画面２２０を表示するので、認証処理の実行期間が過度に短くなった場合であっても、キャンセル操作を受け付ける期間を確保することが可能となる。従って、ユーザは、簡単にホーム画面２３０への遷移をキャンセルしてロック画面２１０を表示させることが可能となる。
【００４５】
ここで、キャンセル操作は多様に考えられる。例えば、認証処理が電源キー２０を押下した指に基づく指紋認証である場合、キャンセル操作は電源キー２０から指を離す操作であってもよい。例えば、認証処理が虹彩認証である場合、キャンセル操作は目をつぶる操作であってもよい。その場合、端末装置１は、通常の瞬きをキャンセル操作とみなす誤判断を避けるため、例えば１５０ミリ秒以上目をつぶる操作をキャンセル操作として判断することが望ましい。
【００４６】
定量的な観点から言えば、端末装置１は、遷移画面２２０を５００ミリ秒以上表示する。これは、ユーザがキーを押してから戻す動作を行うまで、一般的に５００ミリ秒程度かかることに起因する。５００ミリ秒以上遷移画面２２０が表示されるので、ユーザは、簡単にホーム画面２３０への遷移をキャンセルしてロック画面２１０を表示させることが可能となる。なお、例えば指紋認証に３００ミリ秒程度かかる場合、遷移画面２２０を５００ミリ秒以上表示することは、遷移画面２２０を認証処理の終了後に２００ミリ秒以上表示することと捉えられてもよい。
【００４７】
端末装置１は、遷移画面２２０の表示期間を制御してもよい。例えば、端末装置１は、ユーザの操作履歴に応じて遷移画面２２０の表示期間を制御してもよい。具体的には、端末装置１は、電源キー２０を押してから戻すまでの動作が遅いユーザに対しては遷移画面２２０の表示期間を長くし、電源キー２０を押してから戻すまでの動作が早いユーザに対しては遷移画面２２０の表示期間を短くする。これにより、特に電源キー２０を押してから戻すまでの動作が遅いユーザに対して、ホーム画面２３０への遷移をキャンセルする機会を十分に提供することが可能となる。他にも、端末装置１は、位置情報又は時間帯等の任意の情報に応じて遷移画面２２０の表示期間を制御してもよい。これにより、例えば動作が遅くなる傾向にある時間帯においても、ホーム画面２３０への遷移をキャンセルする機会を十分に提供することが可能となる。
【００４８】
端末装置１は、遷移画面２２０においてアニメーションを表示する。端末装置１は、キャンセル操作が行われたことを示す所定の操作情報が得られた場合は進行したアニメーションを逆に進行させてからロック画面２１０を表示してもよい。
【００４９】
続いて、図７及び図８を参照して、キャンセル操作に関する処理の流れの一例を説明する。
【００５０】
図７及び図８は、本実施形態に係る端末装置１において実行される表示制御処理の流れの一例を示すシーケンス図である。これらの本シーケンスには、ロック画面アプリケーション１９１、認証モジュール１８１、認証ドライバ１７１、ＬＣＤドライバ１７２、及び電源キードライバ１７４が関与する。
【００５１】
以下では、図７を参照して、遷移画面２２０の表示中にキャンセル操作が行われた場合について説明する。まず、電源キードライバ１７４は、電源キー２０を押下する操作を検出すると（ステップＳ１０２）、電源キー２０が押下されたことを示す操作情報をロック画面アプリケーション１９１へ通知する（ステップＳ１０４）。この通知をトリガとして、タッチパネル１０の状態が表示ＯＦＦから表示ＯＮに切り替えられる。次いで、ロック画面アプリケーション１９１は、ロック画面２１０の描画指示をＬＣＤドライバ１７２へ通知して、タッチパネル１０にロック画面２１０を表示させる（ステップＳ１０６）。次に、ロック画面アプリケーション１９１は、認証モジュール１８１を認証待ち状態に設定する（ステップＳ１０８）。次いで、ロック画面アプリケーション１９１は、遷移画面２２０の描画指示をＬＣＤドライバ１７２へ通知して、タッチパネル１０に遷移画面２２０を表示させる（ステップＳ１１０）。次に、認証モジュール１８１は、認証ドライバ１７１を認証待ち状態に設定する（ステップＳ１１２）。そして、認証ドライバ１７１は、認証情報を検出した場合に認証処理を開始する（ステップＳ１１４）。ここで、例えば電源キー２０の押下の際に指紋情報が検出される場合、ステップＳ１０２及びステップＳ１１４は、電源キー２０の押下というひとつの操作に基づいて実行される。
【００５２】
次に、認証ドライバ１７１は、キャンセル操作が行われたことを検出すると（ステップＳ１１６）、キャンセル操作が行われたことを示す操作情報を認証モジュール１８１へ通知する（ステップＳ１１８）。次いで、認証モジュール１８１は、キャンセル操作が行われたことを示す操作情報をロック画面アプリケーション１９１へ通知する（ステップＳ１２０）。そして、ロック画面アプリケーション１９１は、遷移画面２２０の描画キャンセル指示をＬＣＤドライバ１７２へ通知して、タッチパネル１０に遷移画面２２０の表示をキャンセルさせる（ステップＳ１２２）。その後、端末装置１は、ロック画面２１０を表示する。
【００５３】
以下では、図８を参照して、遷移画面２２０の表示中にキャンセル操作が行われない場合について説明する。ステップＳ１０２〜ステップＳ１１４に係る処理は、図７を参照して上記説明した通りであるので、再度の説明は省略する。認証ドライバ１７１は、認証処理が成功すると認証完了を示す情報を認証モジュール１８１に通知する（ステップＳ１２４）。次いで、認証モジュール１８１は、認証完了を示す情報をロック画面アプリケーション１９１に通知する（ステップＳ１２６）。そして、ロック画面アプリケーション１９１は、遷移画面２２０の描画完了指示をＬＣＤドライバ１７２へ通知して、タッチパネル１０に遷移画面２２０の表示を終了させる（ステップＳ１２８）。その後、端末装置１は、ホーム画面２３０を表示する。
【００５４】
＜３．２．ユーザ操作に応じた遷移制御＞
端末装置１は、ユーザ操作に応じて、ロック画面２１０で遷移を止めるか、遷移画面２２０及びホーム画面２３０への遷移を継続するかを制御してもよい。まず、図９を参照して、本特徴が特に有用となる構成について説明する。
【００５５】
図９は、本実施形態に係る端末装置１の外観構成の一例を示す図である。図９に示すように、端末装置１は、タッチパネル１０、スピーカ３０、マイク４０、及びタッチパネル１０の下部に設けられる指紋センサ５０を含む。指紋センサ５０は、タッチパネル１０による表示機能及びユーザ操作の検出機能を阻害せずに、例えば静電容量に基づいて指紋情報を検出することが可能である。このような指紋センサ５０の構成方法は、アンダーグラス（Under  glass）方式又はインディスプレイ方式とも称される。なお、指紋センサ５０は、図９に示すようにタッチパネル１０の一領域にのみ形成されてもよいし、全領域に形成されてもよい。
【００５６】
図９に示した端末装置１は、図１に示した構成から電源キー２０が省かれているので、電源キー２０への操作を受け付けることがない。そこで、端末装置１は、電源キー２０への操作の代わりに、指紋センサ５０上のタッチパネル１０へのタッチ操作を受け付ける。例えば、端末装置１は、指紋センサ５０上のタッチパネル１０がタッチされた場合、電源をＯＮし、又はタッチパネル１０による表示をＯＮにして、ロック画面２１０を表示する。さらに、端末装置１は、ロック画面２１０を表示することに留まらず、指紋センサ５０上のタッチパネル１０をタッチする指から指紋情報を取得して認証処理を行い、ホーム画面２３０への遷移を行う。このような操作方法の変更により、ユーザにとって、遷移画面２２０の表示中でのキャンセル操作がさらに困難になり得る。
【００５７】
そこで、端末装置１は、操作情報に基づいて認証処理の開始可否を切り替える。換言すると、端末装置１は、ユーザ操作に応じてホーム画面２３０への遷移開始可否を切り替える。以下、図１０を参照して、かかる特徴に関するＵＩの遷移について説明する。
【００５８】
図１０は、本実施形態に係る端末装置１のＵＩの遷移の一例を説明するための図である。図１０に示すように、端末装置１による初期画面２００を起点とする画面遷移には、２系統が存在する。例えば、端末装置１は、初期画面２００からロック画面２１０に遷移後、タッチパネル１０への第１の操作が行われたことを示す第１の操作情報が得られた場合、認証処理を開始する。その場合、ロック画面２１０を表示する表示面（即ち、タッチパネル１０）をタッチした指から、指紋センサ５０により得られた生体情報（即ち、指紋情報）に基づいて認証処理が開始される。これにより、端末装置１は、ロック画面２１０の表示で止まることなくシームレスに、認証処理の開始と共に図示を省略した遷移画面２２０を表示し、認証処理が成功した場合にホーム画面２３０を表示する。一方で、端末装置１は、初期画面２００を表示するタッチパネル１０への第２の操作が行われたことを示す第２の操作情報が得られた場合、認証処理を開始しない。その場合、端末装置１は、ロック画面２１０を表示した状態で遷移を止める。このように、ユーザは、ホーム画面２３０までの遷移の継続又はロック画面２１０での遷移の停止を意図的に選択することが可能となる。
【００５９】
第１の操作及び第２の操作は、任意に設定され得る。例えば、端末装置１は、ロック画面２１０を表示する表示面におけるタッチ位置、タッチする指の向き、タッチ面積、又はタッチ回数に基づいて認証処理の開始可否を切り替えてもよい。具体的には、ロック画面２１０を表示するタッチパネル１０に広く指を載せる操作が第１の操作であり、狭くの載せる操作が第２の操作であってもよい。また、ロック画面２１０を表示するタッチパネル１０へのタップ操作が第１の操作であり、ダブルタップ操作が第２の操作であってもよい。
【００６０】
また、図１０に示すように、初期画面２００又はロック画面２１０から遷移してホーム画面２３０が一旦表示された後、ホーム画面２３０から初期画面２００又はロック画面２１０への遷移が可能であってもよい。例えば、端末装置１は、ホーム画面２３０の表示時に所定の操作情報が得られた場合に、ロック画面２１０又は初期画面２００を表示してもよい。この所定の操作情報は多様に考えられる。例えば、端末装置１は、ホーム画面２３０の表示時に、指紋センサ５０上のタッチパネル１０へのタップ又はダブルタップが行われた場合にロック画面２１０を表示し、所定時間以上継続してタッチされた場合に初期画面２００を表示してもよい。このように、ホーム画面２３０からロック画面２１０への遷移が可能となることで、ユーザは、誤ってホーム画面２３０まで遷移させてしまった場合に、容易にロック画面２１０へ表示を戻すことが可能となる。初期画面２００に関しても同様である。
【００６１】
続いて、図１１及び図１２を参照して、操作方法に応じた遷移制御に関する処理の流れの一例を説明する。
【００６２】
図１１及び図１２は、本実施形態に係る端末装置１において実行される表示制御処理の流れの一例を示すシーケンス図である。これらのシーケンスには、ロック画面アプリケーション１９１、ホーム画面アプリケーション１９２、認証モジュール１８１、認証ドライバ１７１、及びＬＣＤドライバ１７２が関与する。なお、ここでは遷移画面２２０に関しては説明を省略する。
【００６３】
以下では、図１１を参照して、第１の操作が行われる場合について説明する。まず、認証ドライバ１７１は、指紋センサ５０上のタッチパネル１０への指載せ操作を検出すると（ステップＳ２０２）、指載せ操作が検出されたことを示す操作情報をロック画面アプリケーション１９１へ通知する（ステップＳ２０４）。この通知をトリガとして、タッチパネル１０の状態が表示ＯＦＦから表示ＯＮに切り替えられる。次いで、ロック画面アプリケーション１９１は、ロック画面２１０の描画指示をＬＣＤドライバ１７２へ通知して、タッチパネル１０にロック画面２１０を表示させる（ステップＳ２０６）。次に、ロック画面アプリケーション１９１は、認証モジュール１８１を認証待ち状態に設定する（ステップＳ２０８）。次いで、認証モジュール１８１は、認証ドライバ１７１を認証待ち状態に設定する（ステップＳ２１０）。
【００６４】
次いで、認証ドライバ１７１は、ステップＳ２０２における指載せ操作が第１の操作であることを検出した場合に、認証処理を開始する（ステップＳ２１２）。なお、ステップＳ２０２及びステップＳ２１２は、指紋センサ５０上のタッチパネル１０への指載せ操作というひとつの操作に基づいて実行される。次に、認証ドライバ１７１は、認証処理が成功すると認証完了を示す情報を認証モジュール１８１に通知する（ステップＳ２１４）。次いで、認証モジュール１８１は、認証完了を示す情報をロック画面アプリケーション１９１へ通知する（ステップＳ２１６）。次に、ロック画面アプリケーション１９１は、ホーム画面２３０への遷移指示をホーム画面アプリケーション１９２へ通知する（ステップＳ２１８）。そして、ホーム画面アプリケーション１９２は、ホーム画面２３０の描画指示をＬＣＤドライバ１７２へ通知して、タッチパネル１０にホーム画面２３０を表示させる（ステップＳ２２０）。
【００６５】
次いで、認証ドライバ１７１は、ロック画面２１０へ戻すための、タップ又はダブルタップ等のロック画面２１０への遷移を指示する操作を検出すると（ステップＳ２２２）、当該操作が行われたことを示す操作情報をホーム画面アプリケーション１９２へ通知する（ステップＳ２２４）。次に、ホーム画面アプリケーション１９２は、ロック画面２１０への遷移指示をロック画面アプリケーション１９１へ通知する（ステップＳ２２６）。そして、ロック画面アプリケーション１９１は、ロック画面２１０の描画指示をＬＣＤドライバ１７２へ通知して、タッチパネル１０にロック画面２１０を表示させる（ステップＳ２２８）。
【００６６】
以下では、図１２を参照して、第２の操作が行われる場合について説明する。ステップＳ２０２〜ステップＳ２１０に係る処理は、図１１を参照して上記説明した通りであるので、再度の説明は省略する。認証ドライバ１７１は、ステップＳ２０２における指載せ操作が第２の操作であることを検出した場合に、認証処理を開始せず（ステップＳ２３０）、認証処理が未完了であることを示す情報を認証モジュール１８１へ通知する（ステップＳ２３２）。なお、ステップＳ２０２及びステップＳ２３０は、指紋センサ５０上のタッチパネル１０への指載せ操作というひとつの操作に基づいて実行される。次いで、認証モジュール１８１は、認証処理が未完了であることを示す情報をロック画面アプリケーション１９１に通知する（ステップＳ２３４）。
【００６７】
＜＜４．第２の実施形態＞＞
本実施形態は、ホーム画面２３０において、ロック画面２１０の利便性を提供する形態である。具体的には、本実施形態に係る端末装置１は、ホーム画面２３０においてロック画面２１０に基づく画像を表示させる。これにより、ユーザは、簡易に重要な情報の確認及び操作を行うといったロック画面２１０の利便性を、ホーム画面２３０において享受することが可能となる。ロック画面２１０に基づく画像は多様に考えられる。以下では、そのバリエーションについて詳しく説明する。
【００６８】
＜４．１．ＵＩ要素の引き継ぎ＞
ロック画面２１０に基づく画像は、ロック画面２１０で表示されていたＵＩ要素を含む画像であってもよい。まず、図１３〜図１６を参照して、その場合のＵＩの具体例を説明する。
【００６９】
図１３は、本実施形態に係るＵＩの具体例を説明するための図である。図１３に示すように、ホーム画面２３０において、ロック画面２１０に基づく画像として、ロック画面２１０において表示される情報（例えば、ＵＩ要素）を含む画像が表示されてもよい。図１３に示した例では、ホーム画面２３０において、ロック画面２１０において表示されていたウィジェット２１３が引き継がれている。端末装置１は、ロック画面２１０に基づく画像への操作を示す操作情報に応じて表示を制御してもよい。より簡易には、端末装置１は、ウィジェット２１３へのユーザ操作を受け付けることができる。例えば、端末装置１は、ミュージックコントローラ２１３Ａへのタッチ操作行われた場合に音楽の再生／停止の切り替え等を行い、通知情報２１３Ｂへのタッチ操作が行われた場合に通知元のアプリケーションを起動して詳細な情報を表示する。端末装置１は、ロック画面２１０に基づく画像をホーム画面２３０に重畳表示（即ち、オーバーレイ）させる。図１３に示すように、ウィジェット２１３の引き継ぎによりロック画面２１０の利便性が提供される一方で、ホーム画面２３０上のアイコンの一部が重畳表示されたウィジェット２１３により隠され得る。
【００７０】
図１４は、本実施形態に係るＵＩの具体例を説明するための図である。図１４に示すように、ウィジェット２１３が、ロック画面２１０に基づく画像としてホーム画面２３０に表示されている。ただし、図１４に示した例では、端末装置１は、ロック画面２１０に基づく画像を透過させて重畳表示している。端末装置１は、ロック画面２１０に基づく画像を透過した上で重畳表示させることで、ホーム画面２３０に含まれるＵＩ要素の視認性の低下を軽減することが可能となる。なお、端末装置１は、ロック画面２１０に基づく画像の透過率を時間経過に応じて高め、フェードアウトさせてもよい。端末装置１は、ウィジェット２１３へのユーザ操作を受け付けることができる。
【００７１】
図１５は、本実施形態に係るＵＩの具体例を説明するための図である。図１５に示すように、ウィジェット２１３が、ロック画面２１０に基づく画像としてホーム画面２３０に重畳表示されており、端末装置１は、ウィジェット２１３へのユーザ操作を受け付ける。端末装置１は、ホーム画面２３０の内容に応じて、ロック画面２１０に基づく画像の表示を制御してもよい。例えば、端末装置１は、ホーム画面２３０の内容に応じて、ロック画面２１０に基づく画像の大きさ、表示位置、透過率、又は画像内部の情報のレイアウト等を制御し得る。図１５に示した例では、端末装置１は、ホーム画面２３０上のアイコンが隠されないように、ウィジェット２１３の大きさを小さくし、表示位置を変更している。これにより、端末装置１は、ホーム画面２３０に含まれるＵＩ要素の視認性の低下を軽減することが可能となる。
【００７２】
図１６は、本実施形態に係るＵＩの具体例を説明するための図である。図１６に示すように、ウィジェット２１３が、ロック画面２１０に基づく画像としてホーム画面２３０に重畳表示されており、端末装置１は、ウィジェット２１３へのユーザ操作を受け付ける。端末装置１は、ロック画面２１０に基づく画像に応じてホーム画面２３０のレイアウトを制御してもよい。例えば、端末装置１は、ロック画面２１０に基づく画像に応じて、ホーム画面２３０に含まれるＵＩ要素の大きさ、又は表示位置等を制御し得る。図１６に示した例では、端末装置１は、ウィジェット２１３に隠れない位置に、ホーム画面２３０上のアイコンを並び替えている。これにより、端末装置１は、ホーム画面２３０に含まれるＵＩ要素の視認性の低下を軽減することが可能となる。
【００７３】
なお、上記では、ロック画面２１０に基づく画像の一例として、ウィジェット２１３を挙げて説明したが、本技術はかかる例に限定されない。例えば、ロック画面２１０において表示されていたＵＩ要素が、そのままホーム画面２３０において表示される以外にも、加工されて表示されてもよい。例えば、ロック画面２１０において表示されていたＵＩ要素が簡略化又は統合等されることで生成された画像が、ホーム画面２３０において表示されてもよい。
【００７４】
本実施形態では、第１の実施形態と同様に、ホーム画面２３０から初期画面２００又はロック画面２１０への遷移が可能であってもよい。例えば、端末装置１は、ホーム画面２３０の表示時に所定の操作情報が得られた場合に、ロック画面２１０を表示してもよい。この所定の操作情報は多様に考えられる。例えば、端末装置１は、ホーム画面２３０の表示時に、電源キー２０へのタップ、ダブルタップ又は所定時間以上継続した押下が行われた場合にロック画面２１０を表示してもよい。
【００７５】
続いて、図１７を参照して、ＵＩ要素の引き継ぎに関する表示制御に関する処理の流れの一例を説明する。
【００７６】
図１７は、本実施形態に係る端末装置１において実行される表示制御処理の流れの一例を示すシーケンス図である。本シーケンスには、ロック画面アプリケーション１９１、ホーム画面アプリケーション１９２、認証モジュール１８１、認証ドライバ１７１、ＬＣＤドライバ１７２、及び電源キードライバ１７４が関与する。なお、ここでは遷移画面２２０に関しては説明を省略する。
【００７７】
図１７に示すように、まず、電源キードライバ１７４は、電源キー２０を押下する操作を検出すると（ステップＳ３０２）、電源キー２０が押下されたことを示す操作情報をロック画面アプリケーション１９１へ通知する（ステップＳ３０４）。この通知をトリガとして、タッチパネル１０の状態が表示ＯＦＦから表示ＯＮに切り替えられる。次いで、ロック画面アプリケーション１９１は、ロック画面２１０の描画指示をＬＣＤドライバ１７２へ通知して、タッチパネル１０にロック画面２１０を表示させる（ステップＳ３０６）。次に、ロック画面アプリケーション１９１は、認証モジュール１８１を認証待ち状態に設定する（ステップＳ３０８）。次いで、認証モジュール１８１は、認証ドライバ１７１を認証待ち状態に設定する（ステップＳ３１０）。そして、認証ドライバ１７１は、認証情報を検出した場合に認証処理を開始する（ステップＳ３１２）。ここで、例えば電源キー２０の押下の際に指紋情報が検出される場合、ステップＳ３０２及びステップＳ３１２は、電源キー２０の押下というひとつの操作に基づいて実行される。
【００７８】
次に、認証ドライバ１７１は、認証処理が成功すると認証完了を示す情報を認証モジュール１８１に通知する（ステップＳ３１４）。次いで、認証モジュール１８１は、認証完了を示す情報をロック画面アプリケーション１９１に通知する（ステップＳ３１６）。次に、ロック画面アプリケーション１９１は、ロック画面２１０で表示されていたウィジェット２１３を引き継いだホーム画面２３０への遷移指示をホーム画面アプリケーション１９２へ通知する（ステップＳ３１８）。そして、ホーム画面アプリケーション１９２は、ウィジェット２１３を引き継いだホーム画面２３０の描画指示をＬＣＤドライバ１７２へ通知して、タッチパネル１０にウィジェット２１３を引き継いだホーム画面２３０を表示させる（ステップＳ３２０）。
【００７９】
次いで、認証ドライバ１７１は、ロック画面２１０へ戻すための、タップ又はダブルタップ等のロック画面２１０への遷移を指示する操作を検出すると（ステップＳ３２２）、当該操作が行われたことを示す操作情報をホーム画面アプリケーション１９２へ通知する（ステップＳ３２４）。次に、ホーム画面アプリケーション１９２は、ロック画面２１０への遷移指示をロック画面アプリケーション１９１へ通知する（ステップＳ３２６）。そして、ロック画面アプリケーション１９１は、ロック画面２１０の描画指示をＬＣＤドライバ１７２へ通知して、タッチパネル１０にロック画面２１０を表示させる（ステップＳ３２８）。
【００８０】
＜４．２．ロック画面の縮小画像＞
ロック画面２１０に基づく画像は、ロック画面２１０を縮小したものであってもよい。以下、図１８を参照して、その場合のＵＩの具体例を説明する。
【００８１】
図１８は、本実施形態に係るＵＩの具体例を説明するための図である。図１８に示すように、ホーム画面２３０において、ロック画面２１０に基づく画像として、ロック画面２１０を縮小した縮小画像２１５が重畳表示される。これにより、端末装置１は、ホーム画面２３０において、ロック画面２１０の利便性を提供することが可能となる。また、端末装置１は、縮小画像２１５へのユーザ操作を受け付けることができる。例えば、端末装置１は、縮小画像２１５へのタップ操作等の所定の操作を示す操作情報が得られた場合に、ロック画面２１０を表示する。このように、ホーム画面２３０からロック画面２１０への遷移が可能となることで、ユーザは、誤ってホーム画面２３０まで遷移させてしまった場合に、容易にロック画面２１０へ表示を戻すことが可能となる。その他、縮小画像２１５において、ロック画面２１０に表示されていたウィジェット２１３に相当する領域へのタップ操作等が行われた場合、端末装置１は、対応するアプリケーションを起動させる等してもよい。
【００８２】
縮小画像２１５の表示方法は、ロック画面２１０からのＵＩ要素の引き継ぎに関する表示方法と同様のバリエーションを有し得る。例えば、端末装置１は、縮小画像２１５を透過させてホーム画面２３０に重畳表示してもよい。また、端末装置１は、ホーム画面２３０の内容に応じて縮小画像２１５の表示を制御してもよいし、逆に、縮小画像２１５に応じてホーム画面２３０のレイアウトを制御してもよい。
【００８３】
続いて、図１９を参照して、ロック画面２１０の縮小画像２１５に関する表示制御に関する処理の流れの一例を説明する。
【００８４】
図１９は、本実施形態に係る端末装置１において実行される表示制御処理の流れの一例を示すシーケンス図である。本シーケンスには、ロック画面アプリケーション１９１、ホーム画面アプリケーション１９２、認証モジュール１８１、認証ドライバ１７１、ＬＣＤドライバ１７２、タッチドライバ１７３、及び電源キードライバ１７４が関与する。なお、ここでは遷移画面２２０に関しては説明を省略する。
【００８５】
図１９に示すように、まず、電源キードライバ１７４は、電源キー２０を押下する操作を検出すると（ステップＳ４０２）、電源キー２０が押下されたことを示す操作情報をロック画面アプリケーション１９１へ通知する（ステップＳ４０４）。この通知をトリガとして、タッチパネル１０の状態が表示ＯＦＦから表示ＯＮに切り替えられる。次いで、ロック画面アプリケーション１９１は、ロック画面２１０の描画指示をＬＣＤドライバ１７２へ通知して、タッチパネル１０にロック画面２１０を表示させる（ステップＳ４０６）。次に、ロック画面アプリケーション１９１は、認証モジュール１８１を認証待ち状態に設定する（ステップＳ４０８）。次いで、認証モジュール１８１は、認証ドライバ１７１を認証待ち状態に設定する（ステップＳ４１０）。そして、認証ドライバ１７１は、認証情報を検出した場合に認証処理を開始する（ステップＳ４１２）。ここで、例えば電源キー２０の押下の際に指紋情報が検出される場合、ステップＳ４０２及びステップＳ４１２は、電源キー２０の押下というひとつの操作に基づいて実行される。
【００８６】
次に、認証ドライバ１７１は、認証処理が成功すると認証完了を示す情報を認証モジュール１８１に通知する（ステップＳ４１４）。次いで、認証モジュール１８１は、認証完了を示す情報をロック画面アプリケーション１９１に通知する（ステップＳ４１６）。次に、ロック画面アプリケーション１９１は、ロック画面２１０の縮小画像２１５を含むホーム画面２３０への遷移指示をホーム画面アプリケーション１９２へ通知する（ステップＳ４１８）。そして、ホーム画面アプリケーション１９２は、ロック画面２１０の縮小画像２１５を含むホーム画面２３０の描画指示をＬＣＤドライバ１７２へ通知して、タッチパネル１０にロック画面２１０の縮小画像２１５を含むホーム画面２３０を表示させる（ステップＳ４２０）。
【００８７】
次いで、タッチドライバ１７３は、ロック画面２１０へ表示を戻すための、ホーム画面２３０に表示されたロック画面２１０の縮小画像２１５へのタップ操作等の所定の操作を検出すると（ステップＳ４２２）、当該操作が行われたことを示す操作情報をホーム画面アプリケーション１９２へ通知する（ステップＳ４２４）。次に、ホーム画面アプリケーション１９２は、ロック画面２１０への遷移指示をロック画面アプリケーション１９１へ通知する（ステップＳ４２６）。そして、ロック画面アプリケーション１９１は、ロック画面２１０の描画指示をＬＣＤドライバ１７２へ通知して、タッチパネル１０にロック画面２１０を表示させる（ステップＳ４２８）。
【００８８】
＜＜５．第３の実施形態＞＞
本実施形態は、電源ＯＮ／ＯＦＦ又は表示ＯＮ／ＯＦＦの切り替えと、認証処理の開始とを、異なる操作に基づいて行う形態である。まず、図２０を参照して、本実施形態に係る端末装置１の構成例を説明する。
【００８９】
図２０は、本実施形態に係る端末装置１の外観構成の一例を示す図である。図２０に示すように、端末装置１は、タッチパネル１０、スピーカ３０、マイク４０、タッチパネル１０の下部に設けられる指紋センサ５０、及び端末装置１の側面外周に設けられるサイドタッチセンサ６０を含む。サイドタッチセンサ６０は、タッチセンサ又は圧力センサ等により構成され、端末装置１をユーザが握り込む操作、より詳しくは端末装置１の側面を握り込む操作を検出することが可能である。
【００９０】
図２０に示した端末装置１は、図１に示した構成から電源キー２０が省かれているので、電源キー２０への操作を受け付けることがない。そこで、端末装置１は、電源キー２０への操作の代わりに、端末装置１を握り込む操作を受け付ける。例えば、端末装置１は、ユーザが端末装置１を握り込んだ場合、電源をＯＮし、又はタッチパネル１０による表示をＯＮにして、ロック画面２１０を表示する。そして、端末装置１は、ユーザが指紋センサ５０上のタッチパネル１０に指を載せた場合、指紋情報を取得して認証処理を行い、ホーム画面２３０への遷移を行う。このように、本実施形態では、ロック画面２１０の表示と、ロック画面２１０からホーム画面２３０への遷移とが、異なる操作に応じて行わる。即ち、端末装置１は、ひとつの操作に基づいてシームレスに初期画面２００からホーム画面２３０へ遷移することはない。このため、ユーザは、ロック画面２１０で意図的に遷移を止めることが可能となる。
【００９１】
続いて、図２１参照して、サイドタッチセンサ６０を用いた表示制御に関する処理の流れの一例を説明する。
【００９２】
図２１は、本実施形態に係る端末装置１において実行される表示制御処理の流れの一例を示すシーケンス図である。本シーケンスには、ロック画面アプリケーション１９１、ホーム画面アプリケーション１９２、認証モジュール１８１、認証ドライバ１７１、ＬＣＤドライバ１７２、及びサイドタッチドライバ１７５が関与する。なお、サイドタッチドライバ１７５は、サイドタッチセンサ６０とのインタフェースを提供するドライバである。また、ここでは遷移画面２２０に関しては説明を省略する。
【００９３】
図２１に示すように、まず、サイドタッチドライバ１７５は、サイドタッチセンサ６０を常時スキャンする（ステップＳ５０２）。次に、サイドタッチドライバ１７５は、端末装置１を握り込む操作を検出すると（ステップＳ５０４）、端末装置１が握り込まれたことを示す操作情報をロック画面アプリケーション１９１へ通知する（ステップＳ５０６）。この通知をトリガとして、タッチパネル１０の状態が表示ＯＦＦから表示ＯＮに切り替えられる。次いで、ロック画面アプリケーション１９１は、ロック画面２１０の描画指示をＬＣＤドライバ１７２へ通知して、タッチパネル１０にロック画面２１０を表示させる（ステップＳ５０８）。次に、ロック画面アプリケーション１９１は、認証モジュール１８１を認証待ち状態に設定する（ステップＳ５１０）。次いで、認証モジュール１８１は、認証ドライバ１７１を認証待ち状態に設定する（ステップＳ５１２）。そして、認証ドライバ１７１は、指紋センサ５０上のタッチパネル１０に指が載せられたことが検出された場合、認証処理を開始する（ステップＳ５１４）。
【００９４】
次に、認証ドライバ１７１は、認証処理が成功すると認証完了を示す情報を認証モジュール１８１に通知する（ステップＳ５１６）。次いで、認証モジュール１８１は、認証完了を示す情報をロック画面アプリケーション１９１に通知する（ステップＳ５１８）。次に、ロック画面アプリケーション１９１は、ホーム画面２３０への遷移指示をホーム画面アプリケーション１９２へ通知する（ステップＳ５２０）。そして、ホーム画面アプリケーション１９２は、ホーム画面２３０の描画指示をＬＣＤドライバ１７２へ通知して、タッチパネル１０にホーム画面２３０を表示させる（ステップＳ５２２）。
【００９５】
＜＜６．ハードウェア構成例＞＞
最後に、図２２を参照して、本実施形態に係る情報処理装置のハードウェア構成について説明する。図２２は、本実施形態に係る情報処理装置のハードウェア構成の一例を示すブロック図である。なお、図２２に示す情報処理装置９００は、例えば、図１、図２、図９又は図２０に示した端末装置１を実現し得る。本実施形態に係る端末装置１による情報処理は、ソフトウェアと、以下に説明するハードウェアとの協働により実現される。
【００９６】
図２２に示すように、情報処理装置９００は、ＣＰＵ（Ｃｅｎｔｒａｌ  Ｐｒｏｃｅｓｓｉｎｇ  Ｕｎｉｔ）９０１、ＲＯＭ（Ｒｅａｄ  Ｏｎｌｙ  Ｍｅｍｏｒｙ）９０２、ＲＡＭ（Ｒａｎｄｏｍ  Ａｃｃｅｓｓ  Ｍｅｍｏｒｙ）９０３及びホストバス９０４ａを備える。また、情報処理装置９００は、ブリッジ９０４、外部バス９０４ｂ、インタフェース９０５、入力装置９０６、出力装置９０７、ストレージ装置９０８、ドライブ９０９、接続ポート９１１及び通信装置９１３を備える。情報処理装置９００は、ＣＰＵ９０１に代えて、又はこれとともに、電気回路、ＤＳＰ若しくはＡＳＩＣ等の処理回路を有してもよい。
【００９７】
ＣＰＵ９０１は、演算処理装置および制御装置として機能し、各種プログラムに従って情報処理装置９００内の動作全般を制御する。また、ＣＰＵ９０１は、マイクロプロセッサであってもよい。ＲＯＭ９０２は、ＣＰＵ９０１が使用するプログラムや演算パラメータ等を記憶する。ＲＡＭ９０３は、ＣＰＵ９０１の実行において使用するプログラムや、その実行において適宜変化するパラメータ等を一時記憶する。ＣＰＵ９０１は、例えば、図２に示す処理部１６０を形成し得る。
【００９８】
ＣＰＵ９０１、ＲＯＭ９０２及びＲＡＭ９０３は、ＣＰＵバスなどを含むホストバス９０４ａにより相互に接続されている。ホストバス９０４ａは、ブリッジ９０４を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９０４ｂに接続されている。なお、必ずしもホストバス９０４ａ、ブリッジ９０４および外部バス９０４ｂを分離構成する必要はなく、１つのバスにこれらの機能を実装してもよい。
【００９９】
入力装置９０６は、例えば、マウス、キーボード、タッチパネル、ボタン、マイクロフォン、スイッチ及びレバー等、ユーザによって情報が入力される装置によって実現される。また、入力装置９０６は、例えば、赤外線やその他の電波を利用したリモートコントロール装置であってもよいし、情報処理装置９００の操作に対応した携帯電話やＰＤＡ等の外部接続機器であってもよい。さらに、入力装置９０６は、例えば、上記の入力手段を用いてユーザにより入力された情報に基づいて入力信号を生成し、ＣＰＵ９０１に出力する入力制御回路などを含んでいてもよい。情報処理装置９００のユーザは、この入力装置９０６を操作することにより、情報処理装置９００に対して各種のデータを入力したり処理動作を指示したりすることができる。
【０１００】
他にも、入力装置９０６は、ユーザに関する情報を検知する装置により形成され得る。例えば、入力装置９０６は、画像センサ（例えば、カメラ）、深度センサ（例えば、ステレオカメラ）、加速度センサ、ジャイロセンサ、地磁気センサ、光センサ、音センサ、測距センサ、力センサ等の各種のセンサを含み得る。また、入力装置９０６は、情報処理装置９００の姿勢、移動速度等、情報処理装置９００自身の状態に関する情報や、情報処理装置９００の周辺の明るさや騒音等、情報処理装置９００の周辺環境に関する情報を取得してもよい。また、入力装置９０６は、ＧＮＳＳ（Global  Navigation  Satellite  System）衛星からのＧＮＳＳ信号（例えば、ＧＰＳ（Global  Positioning  System）衛星からのＧＰＳ信号）を受信して装置の緯度、経度及び高度を含む位置情報を測定するＧＮＳＳモジュールを含んでもよい。また、位置情報に関しては、入力装置９０６は、Ｗｉ−Ｆｉ（登録商標）、携帯電話・ＰＨＳ・スマートフォン等との送受信、または近距離通信等により位置を検知するものであってもよい。
【０１０１】
入力装置９０６は、図２に示す操作部１２０を形成し得る。例えば、入力装置９０６は、タッチパネル１０に表示された画面への操作、電源キー２０への操作、及びサイドタッチセンサ６０への操作等を受け付ける。また、入力装置９０６は、図２に示す音声入出力部１４０を形成し得る。例えば、入力装置９０６は、音声入力を受け付ける
【０１０２】
出力装置９０７は、取得した情報をユーザに対して視覚的又は聴覚的に通知することが可能な装置で形成される。このような装置として、ＣＲＴディスプレイ装置、液晶ディスプレイ装置、プラズマディスプレイ装置、ＥＬディスプレイ装置、レーザープロジェクタ、ＬＥＤプロジェクタ及びランプ等の表示装置や、スピーカ及びヘッドホン等の音声出力装置や、プリンタ装置等がある。出力装置９０７は、例えば、情報処理装置９００が行った各種処理により得られた結果を出力する。具体的には、表示装置は、情報処理装置９００が行った各種処理により得られた結果を、テキスト、イメージ、表、グラフ等、様々な形式で視覚的に表示する。他方、音声出力装置は、再生された音声データや音響データ等からなるオーディオ信号をアナログ信号に変換して聴覚的に出力する。上記表示装置は、例えば、図２に示す表示部１１０を形成し得る。上記音声出力装置は、例えば、図２に示す音声入出力部１４０を形成し得る。
【０１０３】
ストレージ装置９０８は、情報処理装置９００の記憶部の一例として形成されたデータ格納用の装置である。ストレージ装置９０８は、例えば、ＨＤＤ等の磁気記憶部デバイス、半導体記憶デバイス、光記憶デバイス又は光磁気記憶デバイス等により実現される。ストレージ装置９０８は、記憶媒体、記憶媒体にデータを記録する記録装置、記憶媒体からデータを読み出す読出し装置および記憶媒体に記録されたデータを削除する削除装置などを含んでもよい。このストレージ装置９０８は、ＣＰＵ９０１が実行するプログラムや各種データ及び外部から取得した各種のデータ等を格納する。ストレージ装置９０８は、例えば、図２に示す記憶部１５０を形成し得る。
【０１０４】
ドライブ９０９は、記憶媒体用リーダライタであり、情報処理装置９００に内蔵、あるいは外付けされる。ドライブ９０９は、装着されている磁気ディスク、光ディスク、光磁気ディスク、または半導体メモリ等のリムーバブル記憶媒体に記録されている情報を読み出して、ＲＡＭ９０３に出力する。また、ドライブ９０９は、リムーバブル記憶媒体に情報を書き込むこともできる。
【０１０５】
接続ポート９１１は、外部機器と接続されるインタフェースであって、例えばＵＳＢ（Ｕｎｉｖｅｒｓａｌ  Ｓｅｒｉａｌ  Ｂｕｓ）などによりデータ伝送可能な外部機器との接続口である。
【０１０６】
通信装置９１３は、例えば、ネットワーク９２０に接続するための通信デバイス等で形成された通信インタフェースである。通信装置９１３は、例えば、有線若しくは無線ＬＡＮ（Ｌｏｃａｌ  Ａｒｅａ  Ｎｅｔｗｏｒｋ）、ＬＴＥ（Ｌｏｎｇ  Ｔｅｒｍ  Ｅｖｏｌｕｔｉｏｎ）、Ｂｌｕｅｔｏｏｔｈ（登録商標）又はＷＵＳＢ（Ｗｉｒｅｌｅｓｓ  ＵＳＢ）用の通信カード等である。また、通信装置９１３は、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ又は各種通信用のモデム等であってもよい。この通信装置９１３は、例えば、インターネットや他の通信機器との間で、例えばＴＣＰ／ＩＰ等の所定のプロトコルに則して信号等を送受信することができる。通信装置９１３は、認証部１３０を形成し得る。例えば、通信装置９１３は、ユーザが携帯する活動量計又はＩｏＴデバイス等のデバイスの機器情報を、認証情報として受信する。
【０１０７】
なお、ネットワーク９２０は、ネットワーク９２０に接続されている装置から送信される情報の有線、または無線の伝送路である。例えば、ネットワーク９２０は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク９２０は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。
【０１０８】
以上、本実施形態に係る情報処理装置９００の機能を実現可能なハードウェア構成の一例を示した。上記の各構成要素は、汎用的な部材を用いて実現されていてもよいし、各構成要素の機能に特化したハードウェアにより実現されていてもよい。従って、本実施形態を実施する時々の技術レベルに応じて、適宜、利用するハードウェア構成を変更することが可能である。
【０１０９】
なお、上述のような本実施形態に係る情報処理装置９００の各機能を実現するためのコンピュータプログラムを作製し、ＰＣ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリ等である。また、上記のコンピュータプログラムは、記録媒体を用いずに、例えばネットワークを介して配信されてもよい。
【０１１０】
＜＜７．まとめ＞＞
以上、図１〜図２２を参照して、本開示の一実施形態について詳細に説明した。上記説明したように、本実施形態に係る端末装置１は、認証情報及び操作情報を取得し、認証情報又は前記操作情報に基づいて表示を制御する。詳しくは、端末装置１は、初期画面２００の表示時に所定の操作情報が取得された場合にロック画面２１０を表示し、認証情報に基づく認証処理が成功した場合にロックを解除した復帰画面（例えば、ホーム画面２３０）を表示する。
【０１１１】
第１の実施形態では、端末装置１は、認証処理に応じて行われるロック画面２１０からホーム画面２３０への遷移を操作情報に基づいて制御する。例えば、端末装置１は、認証処理の実行期間及び実行期間と連続する他の期間において継続して遷移画面２２０を表示させ、遷移画面２２０を表示時に所定の操作情報が得られた場合に、ロック画面２１０を表示させる。これにより、端末装置１は、認証処理の実行期間だけでなく、認証処理を行っていない期間も遷移画面２２０を表示するので、認証処理の実行期間が過度に短くなった場合であっても、キャンセル操作を受け付ける期間を確保することが可能となる。従って、ユーザは、簡単にホーム画面２３０への遷移をキャンセルしてロック画面２１０を表示させることが可能となる。また、端末装置１は、操作情報に基づいて認証処理の実行可否を切り替えてもよい。これにより、ユーザは、ホーム画面２３０までの遷移の継続又はロック画面２１０での遷移の停止を意図的に選択することが可能となる。
【０１１２】
第２の実施形態では、端末装置１は、ホーム画面２３０においてロック画面２１０に基づく画像を表示する。例えば、端末装置１は、ホーム画面２３０において、ロック画面２１０において表示されるＵＩ要素、又はロック画面２１０を縮小した画像を表示する。これにより、ユーザは、簡易に重要な情報の確認及び操作を行うといったロック画面２１０の利便性を、ホーム画面２３０において享受することが可能となる。
【０１１３】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１４】
例えば、上記説明した各実施形態は、適宜組み合わせることが可能である。
【０１１５】
また、上記では、本技術が適用される情報処理装置の一例としてスマートフォンを挙げて説明したが、本技術はかかる例に限定されない。例えば、本技術は、タブレット端末、ＰＣ、サイネージ端末、ゲーム機、ウェラブルデバイス、テレビ受像機、又は映像再生装置等の、表示装置を有する又は外部の表示装置を制御する任意の装置に適用され得る。
【０１１６】
また、本明細書において説明した各装置は、単独の装置として実現されてもよく、一部または全部が別々の装置として実現されても良い。例えば、図２に示した端末装置１の機能構成例のうち、処理部１６０が、表示部１１０、操作部１２０、認証部１３０、音声入出力部１４０及び記憶部１５０とネットワーク等で接続されたサーバ等の装置に備えられていても良い。
【０１１７】
また、本明細書においてフローチャート及びシーケンス図を用いて説明した処理は、必ずしも図示された順序で実行されなくてもよい。いくつかの処理ステップは、並列的に実行されてもよい。また、追加的な処理ステップが採用されてもよく、一部の処理ステップが省略されてもよい。
【０１１８】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１９】
なお、以下のような構成も本開示の技術的範囲に属する。
（１）
認証情報及び操作情報を取得する取得部と、
前記取得部により取得された前記認証情報又は前記操作情報に基づいて表示を制御する表示制御部と、
を備え、
前記表示制御部は、
初期画面の表示時に所定の前記操作情報が取得された場合にロック画面を表示させ、
前記認証情報に基づく認証処理が成功した場合にロックを解除した復帰画面を表示させ、
前記認証処理に応じて行われる前記ロック画面から前記復帰画面への遷移を前記操作情報に基づいて制御する、情報処理装置。
（２）
前記表示制御部は、前記認証処理の実行期間及び前記実行期間と連続する他の期間において継続して前記ロック画面から前記復帰画面への遷移中であることを示す遷移画面を表示させ、前記遷移画面を表示時に所定の前記操作情報が得られた場合に、前記ロック画面を表示させる、前記（１）に記載の情報処理装置。
（３）
前記表示制御部は、前記遷移画面の表示期間を制御する、前記（２）に記載の情報処理装置。
（４）
前記表示制御部は、ユーザの操作履歴に応じて前記遷移画面の表示期間を制御する、前記（３）に記載の情報処理装置。
（５）
前記表示制御部は、前記遷移画面を５００ミリ秒以上表示させる、前記（２）〜（４）のいずれか一項に記載の情報処理装置。
（６）
前記表示制御部は、前記操作情報に基づいて前記認証処理の開始可否を切り替える、前記（１）〜（５）のいずれか一項に記載の情報処理装置。
（７）
前記表示制御部は、前記ロック画面を表示する表示面へのタッチ位置、タッチする指の向き、タッチ面積、又はタッチ回数に基づいて前記認証処理の開始可否を切り替える、前記（６）に記載の情報処理装置。
（８）
前記ロック画面を表示する表示面をタッチする指から得られた生体情報に基づいて前記認証処理が実行される、前記（７）に記載の情報処理装置。
（９）
前記表示制御部は、前記復帰画面の表示時に所定の前記操作情報が得られた場合に、前記ロック画面又は前記初期画面を表示させる、前記（１）〜（８）のいずれか一項に記載の情報処理装置。
（１０）
認証情報及び操作情報を取得する取得部と、
前記取得部により取得された前記認証情報又は前記操作情報に基づいて表示を制御する表示制御部と、
を備え、
前記表示制御部は、
初期画面の表示時に所定の前記操作情報が取得された場合にロック画面を表示させ、
認証が成功した旨の前記認証情報が取得された場合にロックを解除した復帰画面を表示させ、
前記復帰画面において前記ロック画面に基づく画像を表示させる、情報処理装置。
（１１）
前記ロック画面に基づく画像は、前記ロック画面において表示される情報を含む、前記（１０）に記載の情報処理装置。
（１２）
前記ロック画面に基づく画像は、前記ロック画面を縮小した画像である、前記（１１）に記載の情報処理装置。
（１３）
前記表示制御部は、前記ロック画面を縮小した画像への所定の操作を示す前記操作情報が得られた場合に前記ロック画面を表示させる、前記（１２）に記載の情報処理装置。
（１４）
前記表示制御部は、前記ロック画面に基づく画像を復帰画面に重畳表示させる、前記（１１）〜（１３）のいずれか一項に記載の情報処理装置。
（１５）
前記表示制御部は、前記ロック画面に基づく画像を透過させて表示させる、前記（１４）に記載の情報処理装置。
（１６）
前記表示制御部は、前記ロック画面に基づく画像への操作を示す操作情報に応じて表示を制御する、前記（１１）〜（１５）のいずれか一項に記載の情報処理装置。
（１７）
前記表示制御部は、前記復帰画面の内容に応じて前記ロック画面に基づく画像の表示を制御する、前記（１１）〜（１６）のいずれか一項に記載の情報処理装置。
（１８）
前記表示制御部は、前記ロック画面に基づく画像に応じて前記復帰画面のレイアウトを制御する、前記（１１）〜（１７）のいずれか一項に記載の情報処理装置。
（１９）
認証情報及び操作情報を取得することと、
取得された前記認証情報又は前記操作情報に基づいてプロセッサにより表示を制御することと、
を含み、
前記表示を制御することは、
初期画面の表示時に所定の前記操作情報が取得された場合にロック画面を表示させることと、
前記認証情報に基づく認証処理が成功した場合にロックを解除した復帰画面を表示させることと、
前記認証処理に応じて行われる前記ロック画面から前記復帰画面への遷移を前記操作情報に基づいて制御することと、を含む情報処理方法。
（２０）
認証情報及び操作情報を取得することと、
取得された前記認証情報又は前記操作情報に基づいてプロセッサにより表示を制御することと、
を含み、
前記表示を制御することは、
初期画面の表示時に所定の前記操作情報が取得された場合にロック画面を表示させることと、
認証が成功した旨の前記認証情報が取得された場合にロックを解除した復帰画面を表示させることと、
前記復帰画面において前記ロック画面に基づく画像を表示させることと、を含む情報処理方法。
【符号の説明】
【０１２０】
１      情報処理装置、端末装置
１０    タッチパネル
２０    電源キー
３０    スピーカ
４０    マイク
５０    指紋センサ
６０    サイドタッチセンサ
１１０    表示部
１２０    操作部
１３０    認証部
１４０    音声入出力部
１５０    記憶部
１６０    処理部
１６１    取得部
１６３    表示制御部
１７１    認証ドライバ
１７２    ＬＣＤドライバ
１７３    タッチドライバ
１７４    電源キードライバ
１７５    サイドタッチドライバ
１８１    認証モジュール
１９１    ロック画面アプリケーション
１９２    ホーム画面アプリケーション
２００    初期画面
２１０    ロック画面
２１１      ヘッダ領域
２１２      背景領域
２１３      ウィジェット
２１３Ａ      ミュージックコントローラ
２１３Ｂ      通知情報
２１４      操作キー
２１５      縮小画像
２２０    遷移画面
２３０    ホーム画面
２４０    アンビエント画面
【図１】
2018073287.tif 000003
【図２】
2018073287.tif 000004
【図３】
2018073287.tif 000005
【図４】
2018073287.tif 000006
【図５】
2018073287.tif 000007
【図６】
2018073287.tif 000008
【図７】
2018073287.tif 000009
【図８】
2018073287.tif 000010
【図９】
2018073287.tif 000011
【図１０】
2018073287.tif 000012
【図１１】
2018073287.tif 000013
【図１２】
2018073287.tif 000014
【図１３】
2018073287.tif 000015
【図１４】
2018073287.tif 000016
【図１５】
2018073287.tif 000017
【図１６】
2018073287.tif 000018
【図１７】
2018073287.tif 000019
【図１８】
2018073287.tif 000020
【図１９】
2018073287.tif 000021
【図２０】
2018073287.tif 000022
【図２１】
2018073287.tif 000023
【図２２】
2018073287.tif 000024